(57)【要約】【課題】  より指向性が高いスピーカを備えた構造を提供することを実現する。【解決手段】  ポータブルコンピュータ１は、本体ユニット２と表示ユニット３とがヒンジ４を介して回動可能に接続される。本体筐体２ａのパームレスト部に設けるスピーカ収容部９と、スピーカユニット８とを２軸ヒンジ１０を介して回動可能に連結する。２軸ヒンジ１０はスピーカユニット８をスピーカ収容部９に収容する収容位置と、スピーカ収容部９から起立する起立位置とを回動可能にする第１の回転軸を有する。また、起立位置にて、スピーカユニット８を回転可能とする第２の回転軸とを有する。【選択図】  図６
2011013779.tif 000002
【特許請求の範囲】
【請求項１】
上面を有する本体筐体と、
第１のヒンジ部を介して前記本体筐体と連結されると共に、前記上面を覆う閉塞位置と、前記上面を開放する開放位置とを回動可能に設けられる表示ユニットと、
前記上面から前記本体筐体内部に対して窪むように設けられるスピーカ収容部と、
前記スピーカ収容部に収容されるスピーカと、
前記スピーカ収容部に設けられ、前記スピーカを前記スピーカ収容部に収容される収容位置と前記スピーカ収容部から起立する起立位置とを回動可能にする第１の回転軸と、前記第１の回転軸と垂直に位置する第２の回転軸とを有する第２のヒンジ部と
を有することを特徴とする情報処理装置。
【請求項２】
前記第２のヒンジ部は、前記スピーカ収容部の側面の内、前記第１のヒンジ部に近接する前記本体筐体の第１の側壁と前記第１の側壁に対向する前記本体筐体の第２の側壁との間に亘って設けられる第３及び第４の側壁の、何れかの近傍に設けられることを特徴とする請求項１に記載の情報処理装置。
【請求項３】
前記スピーカ収容部は、前記第３及び第４の側面の何れかの近傍であって、更に前記第１の側面もしくは第２の側面の少なくとも何れか一方の近傍に設けられることを特徴とする請求項２に記載の情報処理装置。
【請求項４】
前記第１の回転軸の回動可能な角度が、鈍角であることを特徴とする請求項３に記載の情報処理装置。
【請求項５】
前記第２の回転軸の回転可能な角度が、周角であることを特徴とする請求項４に記載の情報処理装置。
【請求項６】
前記スピーカ収容部の内面を遮音性部材で覆うことを特徴とする請求項５に記載の情報処理装置。
【請求項７】
前記収容位置にて前記スピーカの上面に接合して設けられるカバーを更に有し、
前記カバーに複数の穴部を設けることを特徴とする請求項６に記載の情報処理装置。
【発明の詳細な説明】
【技術分野】
【０００１】
本発明は情報処理装置に関する。
【背景技術】
【０００２】
ポータブルコンピュータのような電子機器には、通常スピーカが備えられている。このような電子機器には、本体の筐体内部にスピーカの収容部が設けられている。
【０００３】
以下に挙げる特許文献１により開示されている構造では、スピーカの収容部がキーボードの手前側のパームレスト部分に設けられ、スピーカの音声出力部が上向きになるようにして収容される。スピーカとスピーカ収容部とは、収容部に収容されるように倒される収容位置と、収容部から突出する起立位置とに渡って回動自在となるように連結されている。このスピーカの回動させる角度を調整自在に設けることで、音声をポータブルコンピュータの正面側に放音させることができる。
【先行技術文献】
【特許文献】
【０００４】
【特許文献１】特開２００５−１０９６７２
【発明の概要】
【発明が解決しようとする課題】
【０００５】
上述の構造によれば、スピーカを収納位置から起立位置までを回動させるのみであるので、音声の指向方向はポータブルコンピュータの上方向から正面方向に限られる。また、上述の構造における収納位置では、網目状の構造を有する音声出力部が上面に位置することになる。即ち、埃等が筐体内部に入る虞がある。
【０００６】
近年、ポータブルコンピュータは、搭載される液晶装置の高精度化に伴い、単なる情報処理に用いる装置としてではなく、ＡＶ（Ａｕｄｉｏ  Ｖｉｓｕａｌ）機器の役割も兼ねるものとなりつつある。そこで、ポータブルコンピュータ等に搭載するスピーカも高音質で指向性が高いものが望まれる。
【０００７】
本発明は、上述した点に鑑みてなされたものであり、より指向性が高いスピーカを備えた構造を提供することを目的とする。
【課題を解決するための手段】
【０００８】
上記目的を達成するために、本発明に係る情報処理装置は、本体を収容する本体筐体と、音声を出力するスピーカと、前記本体筐体内部に前記スピーカを収容する空間を形成し、前記上面を切り欠いて設けられるスピーカ収容部と、前記スピーカ収容部に設けられ、前記スピーカを前記スピーカ収容部に収容される収容位置と前記スピーカ収容部から起立する起立位置とを回動可能にする第１の回転軸と、前記起立位置にて前記スピーカを回転可能にする第２の回転軸とを有するヒンジ部とを有することを特徴としている。
【発明の効果】
【０００９】
本発明によれば、より指向性が高いスピーカを備える構造を提供することが実現する。
【図面の簡単な説明】
【００１０】
【図１】本実施の形態におけるポータブルコンピュータの外観図。
【図２】本実施の形態におけるポータブルコンピュータの本体ユニットの上方から見た図。
【図３】本実施の形態におけるポータブルコンピュータに設けられるスピーカユニットの第１の使用形態を示した図。
【図４】本実施の形態におけるポータブルコンピュータに設けられるスピーカユニットの第２の使用形態を示した図。
【図５】本実施の形態におけるポータブルコンピュータに設けられるスピーカユニットの第２の使用形態の第１の変形例を示した図。
【図６】本実施の形態におけるポータブルコンピュータに設けられるスピーカユニットの第２の使用形態の第２の変形例を示した図。
【図７】本実施の形態におけるポータブルコンピュータに設けられるスピーカユニットの第３の使用形態を示した図。
【発明を実施するための形態】
【００１１】
以下、図１〜図７を用いて、本発明の実施の形態について説明する。
【００１２】
本発明に係る情報処理装置として、ポータブルコンピュータ１を例に説明をする。まず、図１及び図２を用いてポータブルコンピュータ１の構造について説明する。図１は、本発明の実施の形態におけるポータブルコンピュータ１の外観斜視図である。図２は、本実施の形態におけるポータブルコンピュータ１の本体ユニット２を上方から見た図である。
【００１３】
ポータブルコンピュータ１は、本体ユニット２と表示ユニット３とがヒンジ４を介して回動自在に設けられている。本体ユニット２は、本体筐体２ａと、キーボード５と、タッチパッド６と、電源スイッチ７と、スピーカユニット８と、スピーカ収容部９と、２軸ヒンジ１０と、カードスロット２０とから構成される。表示ユニット３には、中央に表示装置３ａが設けられている。本明細書において、表示装置３ａに対面して使用するユーザから見て、上側を上、下側を下、手前側を手前、奥側を奥、右側を右、左側を左と定義する。また、本体筐体２ａの奥から手前にかける方向をＸ軸、左右方向をＹ軸、上下方向をＺ軸と定義する。
【００１４】
表示装置３ａは、基板１８に実装されるグラフィックチップから送出される映像信号に基づいて、映像を表示する。表示装置３ａは、例えばＬＣＤ（Ｌｉｑｕｉｄ  Ｃｒｙｓｔａｌ  Ｄｉｓｐｌａｙ）等である。
【００１５】
本体筐体２ａは、上面にキーボード５や、タッチパッド６等の操作デバイスを有し、内部に基板１８や、ＨＤＤ（Ｈａｒｄ  Ｄｉｓｋ  Ｄｒｉｖｅ）１９を収容する。また、スピーカユニット８を収容するために、本体筐体２ａの上面のパームレスト部分を切り欠いたスピーカ収容部９が設けられている。本体筐体２ａの上面と下面を取り囲む側壁の内、奥側に位置する側壁が本願に係る第１の側壁、手前側に位置する側壁が本願に係る第２の側壁、右側に位置する側壁が本願に係る第３の側壁、左側に位置する側壁が本願に係る第４の側壁に該当する。また、本体筐体２ａの左側側壁にはカードスロット２０が設けられ、各種のカードが着脱可能になっている。
【００１６】
次に、図２を用いて、本体筐体２ａ上面における各種デバイスの位置関係を説明する。
【００１７】
本体筐体２ａの上面において、中央部にキーボード５、キーボード５の奥側に電源スイッチ７、手前側にタッチパッド６が設けられている。本体筐体２ａのタッチパッド６の左右のパームレスト部分にスピーカ収容部９が設けられている。左側のスピーカ収容部９の左側面、右側のスピーカ収容部９の右側面にそれぞれ２軸ヒンジ１０が設けられ、それぞれスピーカユニット８が回動可能に設けられている。
【００１８】
キーボード５は、本体筐体２ａ上面に設けられる入力デバイスである。キーボード５のボタン操作により、文字入力やアイコンの選択等の操作信号が各部に伝送される。
【００１９】
タッチパッド６は、本体筐体２ａ上面に設けられるポインティングデバイスである。タッチパッド６の操作により、画面の遷移やアイコンの選択等の操作信号が各部に伝送される。
【００２０】
電源スイッチ７は、ユーザによる操作に応じてポータブルコンピュータ１をパワーオン／パワーオフする制御信号を入力する。
【００２１】
スピーカユニット８は、ポータブルコンピュータ１で再生される音声の出力を行う装置である。スピーカユニット８の構成については、図３を用いて後述する。
【００２２】
スピーカ収容部９は、本体筐体２ａを切り欠いて設けられるスピーカユニット８を収容するための空間である。
【００２３】
２軸ヒンジ１０は、スピーカ収容部９の上端部とスピーカユニット８とを回動自在に連結するものである。本実施の形態において２軸ヒンジ１０は、左側のスピーカ収容部９の左側上端部、及び右側のスピーカ収容部９の右側上端部に設けられる。
【００２４】
２軸ヒンジ１０は、４つの部分（回転部１０ａと、第１の支持部１０ｂと、第２の支持部１０ｃと、移動部１０ｄ）から構成されている。回転部１０ａは、遮音壁１７の上部に設けられ、移動部１０ｄと連動して回動する。第１の支持部１０ｂ及び第２の支持部１０ｃは、遮音壁１７の上側に固定されて設けられる。一方、移動部１０ｄはスピーカユニット８と共に移動する。
【００２５】
また、２軸ヒンジ１０は、第１の回転軸１０ｅと第２の回転軸１０ｆとを有する。第１の回転軸１０ｅは、回転部１０ａと、第１の支持部１０ｂと、第２の支持部１０ｃとを貫通する回転軸である。第１の回転軸１０ｅ周りに回転部１０ａが回転することで、連結している移動部１０ｄは回転部１０ａと共にＹＺ平面上を回転する。即ち、第１の回転軸１０ｅ周りの回転により、スピーカユニット８が収容位置と起立位置とが回動可能となる。
【００２６】
第１の回転軸１０ｅの周りでは、ＹＺ平面上において１８０度未満の回動が可能である。
【００２７】
第２の回転軸１０ｆは、回転部１０ａと、移動部１０ｄを貫通する回転軸である。第２の回転軸１０ｆ周りに移動部１０ｄが回転することで、移動部１０ｄと連結したスピーカユニット８が共にＸＹ平面において回転する。即ち、第１の回転軸１０ｆ周りの回転により、スピーカユニット８の起立位置において様々な方向に回転可能となる。第２の回転軸１０ｆの周りでは、ＸＹ平面上において３６０度回転が可能である。
【００２８】
以上のように、２つの回転軸を持った２軸ヒンジ１０にて、スピーカユニット８をスピーカ収容部９と回動可能に連結することで、以下に説明するスピーカユニット８の３つ使用形態が実現する。
【００２９】
第１の使用形態は、図３に示すようにスピーカユニット８をスピーカ収容部９に収容した状態である。第２の使用形態は、図４〜図６に示すようにスピーカユニット８をスピーカ収容部９から起立させた状態である。第３の使用形態は、図７に示すように、スピーカユニット８を上向きにしてスピーカ収容部９に収容した状態である。これらの使用形態について、夫々図２（Ａ）の位置の本体ユニット２の断面図を示し、順に説明していく。
【００３０】
まず、第１の使用形態について説明する。図３は、本実施の形態におけるポータブルコンピュータ１に設けられるスピーカユニット８の第１の使用形態を示した図である。
【００３１】
本体筐体２ａの内部には、基板１８と、ＨＤＤ１９とが収容されている。また、本体筐体２ａの左側面にはカードスロット２０が設けられている。また、スピーカ収容部９内部側面及び底面には遮音壁１７が設けられている。
【００３２】
スピーカユニット８は、カバー１１と、フレーム１２と、マグネット部１３と、センターキャップ１４と、コーン紙１５と、スピーカカバー１６とから構成されている。
【００３３】
カバー１１は、フレーム１２の上面に接合して設けられ、上方向からの応力からスピーカユニット８を保護するための部材である。即ち、第１の使用形態においては、カバー１１は本体筐体２ａ上面の一部となり、パームレストとしても機能する。
【００３４】
フレーム１２は、マグネット部１３と、センターキャップ１４と、コーン紙１５と、スピーカカバー１６とを収容する枠である。
【００３５】
マグネット部１３は、磁石とボイスコイルから構成され、ボイスコイルには音声電流が流れる。磁石の磁力線と、音声電流による磁力線の働きでコイルが動き、マグネット部１３に接続されるコーン紙１５に振動が伝導し、音波ができる。
【００３６】
センターキャップ１４は、マグネット部１３に埃等が混入することを防ぐ蓋である。
【００３７】
コーン紙１５は、マグネット部１３に内蔵されるボイスコイルと共に振動し、音波を発生させる振動板である。
【００３８】
スピーカカバー１６は、スピーカユニット８内部を、ユーザが誤って接触しないようにする蓋である。スピーカカバー１６は、コーン紙１５から発せられる音波を外部に伝播しやすくするため網目状の構造である。即ち、スピーカカバー１６が向いている方向に音声が出力される。
【００３９】
遮音壁１７は、スピーカユニット８を収容するスピーカ収容部９の外周に設けられている。遮音壁１７は、第１の使用形態において、スピーカユニット８からの音声を上面に反射させ音声を聞き取りやすくするものためのものである。即ち、第１の使用形態でポータブルコンピュータ１を使用する場合は、キーボード５等を操作して作業を行う場合が想定される。そのため、スピーカユニット８から出力される音声としては、ポータブルコンピュータ１の操作に応じたビープ音等であると考えられる。従って、ビープ音等には音声の高出力及び高音質等は不必要であり、ユーザに聞き取れる程度に出力されれば良い。
【００４０】
尚、他の実施の形態として、遮音壁１７により反射させた音声をより聞き取りやすくするため、カバー１１や本体筐体２ａ上面のパームレスト部分に無数の微小な穴を設けても良い。
【００４１】
基板１８は、集積回路、抵抗器、コンデンサー等の多数の電子部品を表面に固定し、その部品間を配線で接続することで電子回路を構成する板状の部品である。基板１８の電子回路から伝送される操作信号は、ポータブルコンピュータ１の各部にて実行され操作信号に示された動作が実現する。
【００４２】
ＨＤＤ１９は、オペレーティングシステム及び各種アプリケーションプログラム等を記憶する記憶装置である。記憶装置としてＨＤＤ１９の他に、ＳＳＤ（Ｓｏｌｉｄ  Ｓｔａｔｅ  Ｄｒｉｖｅ）が搭載される場合もある。
【００４３】
カードスロット２０は、ＰＣカードを着脱するための差込口である。
【００４４】
第１の使用形態においては、スピーカユニット８がスピーカ収容部９に収容され、パームレスト部にて突出していないので、ポータブルコンピュータ１にて作業時にユーザの妨げになることがない。また、スピーカユニット８の上面にはカバー１１が設けられているので、上方向からの負荷に対応することができる。
【００４５】
次に、第２の使用形態について、図４を用いて説明する。図４は、本実施の形態におけるポータブルコンピュータ１に設けられるスピーカユニット８の第２の使用形態を示した図である。
【００４６】
第２の使用形態とは、第１の回転軸１０ｅ周りの回動によって、本体筐体２ａに対してスピーカユニット８を起立させた起立位置を指す。図４は、第１の回転軸１０ｅ周りに、スピーカユニット８を９０度回転させた位置を示している。第２の使用形態においては、スピーカユニット８を本体ユニット２から起立させた状態にすることで、第１の使用形態に比べて出力される音声がユーザにより届きやすくなる。
【００４７】
次に、図５を用いて第２の使用形態における第１の変形例を説明する。図５は、本実施の形態におけるポータブルコンピュータ１に設けられるスピーカユニット８の第２の使用形態の第１の変形例を示した図である。
【００４８】
図５に示す状態は、図４に示した第２の使用形態から第２の回転軸１０ｆ周りに９０度回転させたものである。図４に比べて、音声を出力するスピーカカバー１６がポータブルコンピュータ１を使用するユーザに対面するため、より音声が届きやすくなる。
【００４９】
次に、図６を用いて、第２の使用形態における第２の変形例を説明する。図６は、本実施の形態におけるポータブルコンピュータ１に設けられるスピーカユニット８の第２の使用形態の第２の変形例を示した図である。
【００５０】
図６に示す状態は、第１の回転軸１０ｅ周りに９０度以上回動させ、且つ第２の回転軸１０ｆ周りに数度回転させ、ポータブルコンピュータ１を使用するユーザ側にスピーカカバー１６が向くように位置させたものである。図５に比べて、第１の回転軸１０ｅ周りにより大きく回動させているため、正面から表示装置３ａを視聴する場合に、スピーカユニット８が妨げとならない。即ち、スピーカユニット８を正面側にすることで音声の指向性を向上させることができ、且つスピーカユニット８が表示装置３ａの邪魔にならない。よって、映像及び音声の両方が向上した状態での視聴が実現する。例えば、ポータブルコンピュータ１において再生するコンテンツを、ポータブルコンピュータ１を囲んで数人で視聴する場合等に適している。
【００５１】
次に、図７を用いて、第３の使用形態を説明する。図７は、本実施の形態におけるポータブルコンピュータ１に設けられるスピーカユニット８の第３の使用形態を示した図である。
【００５２】
第３の使用形態とは、第２の回転軸１０ｆ周りの回転によって、第１の使用形態におけるスピーカユニット８の位置から１８０度回転させ、スピーカ収容部９に収容した位置（即ち、第１の回転軸１０ｅ周りの回転は０度）である。従って、スピーカユニット８がオーディオデコーダ部９に収容された状態であるので、ユーザがコンテンツの視聴を行う場合に、表示装置３ａにスピーカユニット８が被ることなく視聴ができる。
【００５３】
尚、本実施の形態においては、スピーカ収容部９をパームレスト部に設けるとしたがこの形態に限られることはない。即ち、本体筐体２ａの上面において、各種デバイスが設けられている領域以外であれば、どこでも良い。例えば、スピーカ収容部９が、キーボード５の奥側の左右に設けられるとしても良い。
【００５４】
以上のように構成される本実施の形態によれば、２軸ヒンジ１０を介してスピーカユニット８をスピーカ収容部９に連結することにより、スピーカユニット８の様々な使用形態が実現する。よって、本体筐体２ａ内部に収容するスピーカよりも大口径のスピーカユニット８を搭載することが可能となる。また、本実施の形態における通常の収納構造としては、スピーカユニット８の音声出力口を内部にし、スピーカユニット８上面をカバーで保護することができるため本体筐体２ａの堅牢性が向上する。また、スピーカユニット８を起立させた状態では、２軸ヒンジ１０により様々な方向に音声を出力することができるため音声の指向性が向上する。また、２軸ヒンジ１０により表示装置３ａの範囲外にスピーカユニット８を移動させることが可能となるので、起立させた状態であっても視聴の妨げになることがない。
【００５５】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００５６】
１  ポータブルコンピュータ
２  本体ユニット
２ａ  本体筐体
３  表示ユニット
３ａ  表示装置
４  ヒンジ
５  キーボード
６  タッチパッド
７  電源スイッチ
８  スピーカユニット
９  スピーカ収容部
１０  ２軸ヒンジ
１０ａ  回転部
１０ｂ  第１の支持部
１０ｃ  第２の支持部
１０ｄ  移動部
１０ｅ  第１の回転軸
１０ｆ  第２の回転軸
１１  カバー
１２  フレーム
１３  マグネット
１４  センターキャップ
１５  コーン紙
１６  スピーカカバー
１７  遮音壁
１８  基板
１９  ＨＤＤ
２０  カードスロット
【図１】
2011013779.tif 000003
【図２】
2011013779.tif 000004
【図３】
2011013779.tif 000005
【図４】
2011013779.tif 000006
【図５】
2011013779.tif 000007
【図６】
2011013779.tif 000008
【図７】
2011013779.tif 000009
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
上面を有する本体筐体と、
第１のヒンジ部を介して前記本体筐体と連結されると共に、前記本体筺体の上面を覆う閉塞位置と、前記本体筺体の上面を開放する開放位置とを回動可能に設けられる表示ユニットと、
前記本体筐体内部に対して窪んだ位置に設けられるスピーカ収容部と、
前記スピーカ収容部に収容されるスピーカと、
前記スピーカ収容部に設けられ、前記スピーカを前記スピーカ収容部に収容する収容位置と前記スピーカ収容部から起立する起立位置とを回動可能にする第１の回転軸と、前記第１の回転軸に対して直交する第２の回転軸とを有する第２のヒンジ部と
を有することを特徴とする情報処理装置。
【請求項２】
前記第２のヒンジ部は、前記第１のヒンジ部に近接する前記本体筐体の第１の側壁と前記第１の側壁に対向する前記本体筐体の第２の側壁との間に亘って設けられる第３又は第４の側壁の何れか一方の近傍の前記スピーカ収容部の側面の上部に設けられることを特徴とする請求項１に記載の情報処理装置。
【請求項３】
前記スピーカ収容部は、前記第３又は第４の側面の何れか一方の近傍であって、かつ、前記第１の側面もしくは第２の側面の少なくとも何れか一方の近傍に設けられることを特徴とする請求項２に記載の情報処理装置。
【請求項４】
前記第１の回転軸の回動可能な角度が、鈍角であることを特徴とする請求項３に記載の情報処理装置。
【請求項５】
前記第２の回転軸の回転可能な角度が、周角であることを特徴とする請求項４に記載の情報処理装置。
【請求項６】
前記スピーカ収容部の内面が遮音性部材で覆われていることを特徴とする請求項５に記載の情報処理装置。
【請求項７】
複数の穴部を有し、前記スピーカを覆うカバーを更に備えることを特徴とする請求項６に記載の情報処理装置。